【手続補正書】
【提出日】平成28年11月25日(2016.11.25)
【手続補正１】
【補正対象書類名】特許請求の範囲
【補正対象項目名】全文
【補正方法】変更
【補正の内容】
【特許請求の範囲】
【請求項１】
通信装置であって、
前記通信装置との通信のためのユーザ操作を受け付ける第１のプログラムと、前記通信装置と通信を行うための第２のプログラムとを含む通信アプリケーションを用いる外部装置と通信する通信手段と、
前記通信装置と前記外部装置との通信において前記通信装置を制御するためのオペレーションのうち、前記外部装置が利用可能なオペレーションを前記外部装置に通知する通知手段と、
前記外部装置が利用する第２のプログラムのタイプを判断する判断手段とを有し、
前記通知手段は、前記第２のプログラムのタイプに応じて、通知するオペレーションを異ならせることを特徴とする通信装置。
【請求項２】
前記第２のプログラムのタイプは、第１のタイプと第２のタイプを含み、前記第１のタイプのプログラムは携帯端末用のプログラムであることを特徴とする請求項１に記載の通信装置。
【請求項３】
前記通信装置は、被写体を撮影する撮影手段をさらに有することを特徴とする請求項１または２に記載の通信装置。
【請求項４】
前記オペレーションは、前記通信装置が有する画像データを取得するオペレーションを含むことを特徴とする請求項３に記載の通信装置。
【請求項５】
前記オペレーションは、前記外部装置を用いたリモート撮影に関するオペレーションを少なくとも１つ含むことを特徴とする請求項４に記載の通信装置。
【請求項６】
前記リモート撮影に関するオペレーションは、静止画の撮影、動画の撮影、ライブビュー画像の取得、撮影パラメータの制御のうち少なくとも１つを含むことを特徴とする請求項５に記載の通信装置。
【請求項７】
前記判断手段により前記第２のプログラムが前記第１のタイプのプログラムであると判断された場合、前記通知手段は前記外部装置を用いたリモート撮影に関するオペレーションのうち少なくとも１つを、前記利用可能なオペレーションとして前記外部装置に通知しないことを特徴とする請求項５または６に記載の通信装置。
【請求項８】
前記判断手段により前記第２のプログラムが前記第１のタイプのプログラムであると判断された場合、前記通知手段は前記画像データを取得するオペレーションを前記利用可能なオペレーションとして通知することを特徴とする請求項４乃至７のいずれか１項に記載の通信装置。
【請求項９】
前記通知手段は複数のオペレーションを通知することが可能であり、
前記判断手段により、前記第２のプログラムが前記第２のタイプであると判断された場合、前記通知手段は、前記第２のプログラムの使用形態が前記第１のタイプであると判断された場合よりも多くのオペレーションを前記外部装置に通知することを特徴とする請求項２乃至８のいずれか１項に記載の通信装置。
【請求項１０】
前記通知手段は複数のオペレーションを通知することが可能であり、
前記判断手段により前記第１のタイプのプログラムと判断されたか前記第２のタイプのプログラムと判断されたかによらず、前記通知手段により通知されるオペレーションには前記通信装置が有する画像データを取得するための少なくとも１つのオペレーションが含まれることを特徴とする請求項３乃至８のいずれか１項に記載の通信装置。
【請求項１１】
前記通信手段は前記外部装置から所定の情報を受信し、
前記判断手段は、前記通信手段により受信された前記所定の情報に基づき、前記第２のプログラムのタイプを判断することを特徴とする請求項１乃至１０のいずれか１項に記載の通信装置。
【請求項１２】
通信装置であって、
前記通信装置との通信のためのユーザ操作を受け付ける第１のプログラムと、前記通信装置と通信を行うための第２のプログラムとを含む通信アプリケーションを用いる外部装置と通信する通信手段と、
前記通信装置と前記外部装置との通信において前記通信装置を制御するためのオペレーションのうち、前記外部装置が利用可能なオペレーションを前記外部装置に通知する通知手段と、
前記外部装置が利用する第２のプログラムの使用形態を判断する判断手段とを有し、
前記通知手段は、前記第２のプログラムの使用形態に応じて、通知するオペレーションを異ならせることを特徴とする通信装置。
【請求項１３】
前記第２のプログラムの使用形態は、第１の使用形態と第２の使用形態を含み、前記第１の使用形態は、前記通信装置のベンダの前記通信アプリケーションにて使用される形態であることを特徴とする請求項１２に記載の通信装置。
【請求項１４】
前記通信装置は、被写体を撮影する撮影手段をさらに有することを特徴とする請求項１２または１３に記載の通信装置。
【請求項１５】
前記オペレーションは、前記通信装置が有する画像データを取得するオペレーションを含むことを特徴とする請求項１４に記載の通信装置。
【請求項１６】
前記オペレーションは、前記外部装置を用いたリモート撮影に関するオペレーションを少なくとも１つ含むことを特徴とする請求項１５に記載の通信装置。
【請求項１７】
前記リモート撮影に関するオペレーションは、静止画の撮影、動画の撮影、ライブビュー画像の取得、撮影パラメータの制御のうち少なくとも１つを含むことを特徴とする請求項１６に記載の通信装置。
【請求項１８】
前記判断手段により前記第２のプログラムの使用形態が前記第１の使用形態であると判断された場合、前記通知手段は前記外部装置を用いたリモート撮影に関するオペレーションのうち少なくとも１つを、前記利用可能なオペレーションとして前記外部装置に通知しないことを特徴とする請求項１６または１７に記載の通信装置。
【請求項１９】
前記判断手段により前記第２のプログラムの使用形態が前記第１の使用形態であると判断された場合、前記通知手段は前記画像データを取得するオペレーションを前記利用可能なオペレーションとして通知することを特徴とする請求項１５乃至１８のいずれか１項に記載の通信装置。
【請求項２０】
前記判断手段により、前記第２のプログラムの使用形態が前記第２の使用形態であると判断された場合、前記通知手段は、前記第２のプログラムの使用形態が前記第１の使用形態であると判断された場合よりも多くのオペレーションを前記外部装置に通知することを特徴とする請求項１３乃至１９のいずれか１項に記載の通信装置。
【請求項２１】
通信装置の制御方法であって、
前記通信装置との通信のためのユーザ操作を受け付ける第１のプログラムと、前記通信装置と通信を行うための第２のプログラムとを含む通信アプリケーションを用いる外部装置と通信する通信工程と、
前記通信装置と前記外部装置との通信において前記通信装置を制御するためのオペレーションのうち、前記外部装置が利用可能なオペレーションを前記外部装置に通知する通知工程と、
前記外部装置が利用する第２のプログラムのタイプを判断する判断工程とを有し、
前記通知工程では、前記第２のプログラムのタイプに応じて、通知するオペレーションを異ならせることを特徴とする通信装置の制御方法。
【請求項２２】
通信装置の制御方法であって、
前記通信装置との通信のためのユーザ操作を受け付ける第１のプログラムと、前記通信装置と通信を行うための第２のプログラムとを含む通信アプリケーションを用いる外部装置と通信する通信工程と、
前記通信装置と前記外部装置との通信において前記通信装置を制御するためのオペレーションのうち、前記外部装置が利用可能なオペレーションを前記外部装置に通知する通知工程と、
前記外部装置が利用する第２のプログラムの使用形態を判断する判断工程とを有し、
前記通知工程では、前記第２のプログラムの使用形態に応じて、通知するオペレーションを異ならせることを特徴とする通信装置の制御方法。
【請求項２３】
通信装置のコンピュータを、請求項１乃至２０のいずれか１項に記載の通信装置の各手段として機能させるコンピュータが読み取り可能なプログラム。
【手続補正２】
【補正対象書類名】明細書
【補正対象項目名】００７２
【補正方法】変更
【補正の内容】
【００７２】
デジタルカメラ２０１は設定の要求を受信すると、図５のＰＣアプリモードの制御可能テーブルを参照する。そして制御可能な機能として、「画像取得」、「レリーズ」、「カメラパラメータ設定」、「ＰＣ  ＬｉｖｅＶｉｅｗ」、「動画記録開始・終了」を利用可能なオペレーションとして追加する（Ｓ６５２）。
【手続補正３】
【補正対象書類名】明細書
【補正対象項目名】００９８
【補正方法】変更
【補正の内容】
【００９８】
デジタルカメラ２０１は設定の要求を受信すると、図５の携帯端末アプリモードの制御可能テーブルを参照し、制御可能な機能として、「画像取得」、「リサイズ画像取得」を利用可能なオペレーションとして追加する（Ｓ７５２）。ここで追加されるオペレーションは、ＰＣアプリモードのときと異なる。つまりデジタルカメラ２０１は、ＳＤＫから通知されるモードの情報に応じて相手装置が携帯端末か否かを判断し、携帯端末である場合は利用可能な機能を制限している。